(57)【特許請求の範囲】
【請求項１】
下流側排気浄化材(１０１)と、下流側排気浄化材(１０１)の排気上流側に配置された上流側排気触媒(１０２)と、ヒータ(３)とを備えたディーゼルエンジンの排気処理装置であって、
エンジン始動装置(１３１)と、ヒータ(３)への通電を制御すると共にエンジン始動装置(１３１)でのエンジン始動処理(Ｓ１２)を制御する制御装置(４)と、制御装置(４)に接続された始動指令装置(１０５)を備え、
ヒータ(３)は上流側排気触媒(１０２)の排気入口(１０２ａ)に配置され、
エンジン停止後、始動指令装置(１０５)から制御装置(４)に始動指令がなされた場合には、制御装置(４)の制御により、始動指令がなされた時から所定時間はエンジン始動処理(Ｓ１２)を行うことなく、エンジン停止状態を維持したまま、ヒータ(３)への通電(Ｓ１１)がなされ、その後、エンジン始動処理(Ｓ１２)が行われるように構成され、
上流側排気触媒(１０２)に付着した未燃焼付着物の付着量を推定する推定装置(６)を備え、前記エンジン停止の前に行われたエンジン運転中、推定装置(６)で、上流側排気触媒(１０２)の付着推定値が推定され、この付着推定値が所定の基準値を越えている場合に限り、前記エンジン停止後のエンジン始動処理(Ｓ１２)直前のヒータ(３)への通電(Ｓ１１)がなされるように構成されている、ことを特徴とするディーゼルエンジンの排気処理装置。
【請求項２】
請求項１に記載されたディーゼルエンジンの排気処理装置において、  
上流側排気触媒(１０２)の排気上流側に燃料を噴射する燃料噴射装置(１０７)と、上流側排気触媒(１０２)の入口側排気温度を検出する入口側排気温度センサ(８)と、上流側排気触媒(１０２)の出口側排気温度を検出する出口側排気温度センサ(９)を備え、
前記推定装置(６)は、燃料噴射装置(１０７)からの燃料の噴射で生じる、上流側排気触媒(１０２)の入口側排気温度と出口側排気温度の温度差に基づいて、上流側排気触媒(１０２)に付着した未燃焼付着物の付着量を推定するように構成されている、ことを特徴とするディーゼルエンジンの排気処理装置。
【請求項３】
請求項２に記載されたディーゼルエンジンの排気処理装置において、
燃料噴射装置(１０７)がコモンレール式燃料噴射装置(７)であり、上記燃料噴射がメイン噴射後に燃焼室(２３)内に行われるポスト噴射である、ことを特徴とするディーゼルエンジンの排気処理装置。
【請求項４】
請求項２に記載されたディーゼルエンジンの排気処理装置において、
燃料噴射装置(１０７)が排気管噴射式の燃料噴射装置であり、上記燃料噴射が上流側排気触媒(１０２)よりも排気上流側の排気管内に行われる噴射である、ことを特徴とするディーゼルエンジンの排気処理装置。
【請求項５】
請求項１から請求項４のいずれかに記載されたディーゼルエンジンの排気処理装置において、
始動指令装置(１０５)が信号発信装置であり、始動指令が信号発信装置から制御装置(４)への電気信号である、ことを特徴とするディーゼルエンジンの排気処理装置。
【請求項６】
請求項５に記載されたディーゼルエンジンの排気処理装置において、
始動指令装置(１０５)が操作者の操作に基づいて指令信号を発信する操作式始動指令装置である、ことを特徴とするディーゼルエンジンの排気処理装置。
【請求項７】
請求項６に記載されたディーゼルエンジンの排気処理装置において、
操作式の始動指令装置(１０５)がキースイッチ(５)である、ことを特徴とするディーゼルエンジンの排気処理装置。
【請求項８】
請求項１から請求項７のいずれかに記載されたディーゼルエンジンの排気処理装置において、
上流側排気触媒(１０２)がＤＯＣ(２)であり、下流側排気浄化材(１０１)がＤＰＦ(１)である、ことを特徴とするディーゼルエンジンの排気処理装置。
【請求項９】
請求項１から請求項７のいずれかに記載されたディーゼルエンジンの排気処理装置において、
上流側排気触媒(１０２)が上流側ＤＯＣであり、下流側排気浄化材(１０１)が下流側ＤＯＣである、ことを特徴とするディーゼルエンジンの排気処理装置。
【請求項１０】
請求項１から請求項７のいずれかに記載されたディーゼルエンジンの排気処理装置において、
上流側排気触媒(１０２)がＤＯＣであり、下流側排気浄化材(１０１)がＳＣＲ触媒である、ことを特徴とするディーゼルエンジンの排気処理装置。
【請求項１１】
請求項１から請求項７のいずれかに記載されたディーゼルエンジンの排気処理装置において、
上流側排気触媒(１０２)がＳＣＲ触媒であり、下流側排気浄化材(１０１)がＤＯＣである、ことを特徴とするディーゼルエンジンの排気処理装置。
【発明の詳細な説明】
【技術分野】
【０００１】
本発明は、ディーゼルエンジンの排気処理装置に関し、詳しくは、排気触媒に付着した未燃焼付着物がヒータの発熱で速やかに燃焼する、ディーゼルエンジンの排気処理装置に関する。
【背景技術】
【０００２】
従来、ＤＰＦと、ＤＰＦの排気上流側に配置されたＤＯＣと、ヒータと、制御装置を備え、制御装置の制御により、ヒータへの通電がなされ、ＤＯＣに詰った未燃焼堆積物がヒータの発熱で加熱されるように構成された、ディーゼルエンジンの排気処理装置がある(例えば、特許文献１参照)。
【０００３】
この種の排気処理装置によれば、ＤＯＣに詰った未燃焼堆積物の燃焼をヒータからの加熱で促進し、ＤＯＣの詰りを解消させ、ＤＰＦの再生時に、ポスト噴射等で排気に含ませた未燃焼燃料をＤＯＣで触媒燃焼させ、排気の昇温で、ＤＰＦに堆積したＰＭを速やかに焼却除去することができる利点がある。
【先行技術文献】
【特許文献】
【０００４】
【特許文献１】特開２０１３−６８１８４号公報(図１，図２参照)
【発明の概要】
【発明が解決しようとする課題】
【０００５】
《問題点》  ＤＯＣを詰まらせている未燃焼堆積物がヒータの発熱では燃焼しにくい。
特許文献１のものでは、ヒータは、ＤＯＣから排気上流側に遠く離れた位置に設けられているため、ヒータの熱がＤＯＣを詰らせている未燃焼堆積物に伝わりにくいうえ、エンジン運転中にヒータへの通電が行われるため、未燃焼堆積物に伝わった僅かな熱も排気で持ち去られ、ＤＯＣを詰まらせている未燃焼堆積物がヒータの発熱では燃焼しにくい。
【０００６】
本発明の課題は、排気触媒に付着した未燃焼付着物がヒータの発熱で速やかに燃焼する、ディーゼルエンジンの排気処理装置を提供することにある。
【課題を解決するための手段】
【０００７】
図１に例示するように、下流側排気浄化材(１０１)と、下流側排気浄化材(１０１)の排気上流側に配置された上流側排気触媒(１０２)と、ヒータ(３)とを備えたディーゼルエンジンの排気処理装置であって、
エンジン始動装置(１３１)と、ヒータ(３)への通電を制御すると共にエンジン始動装置(１３１)でのエンジン始動処理(Ｓ１２)を制御する制御装置(４)と、制御装置(４)に接続された始動指令装置(１０５)を備え、
ヒータ(３)は上流側排気触媒(１０２)の排気入口(１０２ａ)に配置され、
図１，図２に例示するように、エンジン停止後、始動指令装置(１０５)から制御装置(４)に始動指令がなされた場合には、制御装置(４)の制御により、始動指令がなされた時から所定時間はエンジン始動処理(Ｓ１２)を行うことなく、エンジン停止状態を維持したまま、ヒータ(３)への通電(Ｓ１１)がなされ、その後、エンジン始動処理(Ｓ１２)が行われるように構成され、
図１に例示するように、上流側排気触媒(１０２)に付着した未燃焼付着物の付着量を推定する推定装置(６)を備え、図1，図２に例示するように、前記エンジン停止の前に行われたエンジン運転中、推定装置(６)で、上流側排気触媒(１０２)の付着推定値が推定され、この付着推定値が所定の基準値を越えている場合に限り、前記エンジン停止後のエンジン始動処理(Ｓ１２)直前のヒータ(３)への通電(Ｓ１１)がなされるように構成されている、ことを特徴とするディーゼルエンジンの排気処理装置。
【発明の効果】
【０００８】
図１に例示するように、本発明では、ヒータ(３)は上流側排気触媒(１０２)の排気入口(１０２ａ)に配置されるため、ヒータ(３)の熱が上流側排気触媒(１０２)に付着した未燃焼付着物に伝わりやすいうえ、エンジン停止状態を維持したままヒータ(３)への通電が行われるため、未燃焼付着物に伝わる熱が排気で持ち去られず、未燃焼付着物がヒータ(３)の発熱で速やかに燃焼する。
これにより、上流側排気触媒(１０２)の詰まりや汚染が速やかに解消する。
【図面の簡単な説明】
【０００９】
【図１】本発明の実施形態に係る排気処理装置を備えたエンジンの模式図である。
【図２】図１のエンジンの制御装置の制御によるＤＰＦ及びＤＯＣの再生処理のフローチャートである。
【発明を実施するための形態】
【００１０】
図１，図２は本発明の実施形態に係る排気処理装置を備えたエンジンを説明する図で、この実施形態では、立形の直列４気筒ディーゼルエンジンについて説明する。
【００１１】
エンジンの構成は、次の通りである。
クランク軸(１１)の架設方向を前後方向、フライホイール(１２)の配置された側を後側、その反対側を前側、前後方向と直交するエンジン幅方向を横方向とする。
図１に示すように、このエンジンは、シリンダヘッド(１３)の横一側に組みつけられた吸気マニホルド(１４)と、シリンダヘッド(１３)の横他側に組み付けられた排気マニホルド(１５)と、エンジン後部に配置されたフライホイール(１２)を備えている。
【００１２】
図１に示すように、このエンジンは、吸排気装置を備え、これは、排気マニホルド(１５)に設けられた過給機(１６)と、過給機(１６)の吸気入口(１６ａ)側に設けられたエアフローセンサ(１７)と、過給機(１６)のコンプレッサ(１６ｂ)と吸気マニホルド(１４)の間に配置されたインタークーラ(１８)と、インタークーラ(１８)と吸気マニホルド(１４)の間に配置された吸気絞り弁(１９)と、排気マニホルド(１５)と吸気マニホルド(１４)の間に配置されたＥＧＲクーラ(２０)と、ＥＧＲクーラ(２０)と吸気マニホルド(１４)の間に配置されたＥＧＲ弁(２１)を備えている。ＥＧＲは、排気ガス還流の略称である。
吸気絞り弁(１９)とＥＧＲ弁(２１)は、いずれも電動式開閉弁で、これらは制御装置(４)を介してバッテリ(２２)に電気的に接続されている。
制御装置(４)は、エンジンＥＣＵである。ＥＣＵは、電子制御ユニットの略称で、マイコンである。
【００１３】
図１に示すように、このエンジンは、燃料噴射装置を備え、これは、各燃焼室(２３)に設けられた燃料噴射弁(２４)と、燃料噴射弁(２４)から噴射する燃料を蓄圧するコモンレール(２５)と、コモンレール(２５)に燃料タンク(２６)から燃料を圧送する燃料サプライポンプ(２７)を備えている。
燃料噴射弁(２４)は電磁式開閉弁を備え、燃料サプライポンプ(２７)は、電動式調圧弁を備え、これらは制御装置(４)の燃料噴射制御機能部を介してバッテリ(２２)に電気的に接続されている。
【００１４】
図１に示すように、このエンジンは、調速装置を備え、これは、エンジンの目標回転数を設定するアクセルレバー(２８)の設定位置を検出するアクセルセンサ(２９)と、エンジンの実回転数を検出する実回転数センサ(３０)を備え、これらセンサ(２９)(３０)は制御装置(４)に電気的に接続されている。
【００１５】
図１に示すように、このエンジンは、エンジン始動装置(１３１)を備え、これは、スタータモータ(３１)を備え、スタータモータ(３１)とキースイッチ(５)は、制御装置(４)を介してバッテリ(２２)に電気的に接続されている。キースイッチ(５)は、ＯＦＦ位置と、ＯＮ位置と、スタート位置を備えている。
【００１６】
制御装置(４)は、エンジンの目標回転数と実回転数の回転数偏差を小さくするように、燃料噴射弁(２４)からの燃料噴射量や噴射タイミングを設定し、負荷変動によるエンジンの回転数変動を小さくする。また、制御装置(４)は、エンジンの回転数と負荷と吸気量に応じ、ＥＧＲ弁(２１)の開度を調節し、ＥＧＲ率を調節する。また、制御装置(４)は、キースイッチ(５)がスタート位置に投入されると、スタータモータ(３１)を駆動し、エンジンの始動を行う。キースイッチ(５)がＯＮ位置に投入されると、バッテリ(２２)からエンジン各部への通電により、エンジン運転状態が維持され、キースイッチ(５)がＯＦＦ位置に投入されると、燃料噴射弁(２４)からの燃料噴射が停止され、エンジンが停止される。
【００１７】
図１に示すように、このエンジンは、排気処理装置を備えている。
排気処理装置は、下流側排気浄化材(１０１)と、下流側排気浄化材(１０１)の排気上流側に配置された上流側排気触媒(１０２)と、ヒータ(３)とを備えている。
この排気処理装置は、エンジン始動装置(１３１)と、ヒータ(３)への通電を制御すると共にエンジン始動装置(１３１)でのエンジン始動処理(Ｓ１２)を制御する制御装置(４)と、制御装置(４)に接続された始動指令装置(１０５)を備えている。
ヒータ(３)は上流側排気触媒(１０２)の排気入口(１０２ａ)に配置されている。
【００１８】
この排気処理装置では、エンジン停止後、始動指令装置(１０５)から制御装置(４)に始動指令がなされた場合には、制御装置(４)の制御により、始動指令がなされた時から所定時間はエンジン始動処理(Ｓ１２)を行うことなく、エンジン停止状態を維持したまま、ヒータ(３)への通電(Ｓ１１)がなされ、その後、エンジン始動処理(Ｓ１２)が行われるように構成されている。
【００１９】
この排気処理装置では、ヒータ(３)は上流側排気触媒(１０２)の排気入口(１０２ａ)に配置されるため、ヒータ(３)の熱が上流側排気触媒(１０２)に付着した未燃焼付着物に伝わりやすいうえ、エンジン停止状態を維持したままヒータ(３)への通電が行われるため、未燃焼付着物に伝わる熱が排気(１０)で持ち去られず、未燃焼付着物がヒータ(３)の発熱で速やかに燃焼する。
これにより、ＤＯＣ等の上流側排気触媒(１０２)の詰りや汚染が速やかに解消する。
【００２０】
この排気処理装置は、上流側排気触媒(１０２)に付着した未燃焼付着物の付着量を推定する推定装置(６)を備え、推定装置(６)で推定された上流側排気触媒(１０２)の付着推定値が所定の基準値を越えている場合に限り、前記ヒータ(３)の通電がなされるように構成されている。
このため、この排気処理装置では、ヒータ(３)の電力消費を抑制することができる。
すなわち、この排気処理装置は、上流側排気触媒(１０２)に付着した未燃焼付着物の付着量を推定する推定装置(６)を備え、前記エンジン停止の前に行われたエンジン運転中、推定装置(６)で、上流側排気触媒(１０２)の付着推定値が推定され、この付着推定値が所定の基準値を越えている場合に限り、前記エンジン停止後のエンジン始動処理(Ｓ１２)直前のヒータ(３)への通電(Ｓ１１)がなされるように構成されている。
【００２１】
この排気処理装置は、上流側排気触媒(１０２)の排気上流側に燃料を噴射する燃料噴射装置(１０７)と、上流側排気触媒(１０２)の入口側排気温度を検出する入口側排気温度センサ(８)と、上流側排気触媒(１０２)の出口側排気温度を検出する出口側排気温度センサ(９)を備えている。
前記推定装置(６)は、燃料噴射装置(１０７)からの燃料の噴射で生じる、上流側排気触媒(１０２)の入口側排気温度と出口側排気温度の温度差に基づいて、上流側排気触媒(１０２)に付着した未燃焼付着物の付着量を推定するように構成されている。
推定装置(６)は、上流側排気触媒(１０２)への未燃焼付着物への付着の程度に応じて敏感に変化する上流側排気触媒(１０２)の出入口の温度差に基づいて燃焼付着物の付着量を推定するため、その堆積量を正確に推定することができる。
【００２２】
この排気処理装置では、燃料噴射装置(１０７)がコモンレール式の燃料噴射装置(７)であり、上記燃料噴射がメイン噴射後に燃焼室(２３)内に行われるポスト噴射である。
【００２３】
この排気処理装置では、燃料噴射装置(１０７)が排気管噴射式の燃料噴射装置であり、上記燃料噴射が上流側排気触媒(１０２)よりも排気上流側の排気管内に行われる噴射であってもよい。
【００２４】
この排気処理装置では、始動指令装置(１０５)が信号発信装置であり、始動指令が信号発信装置から制御装置(４)への電気信号である。
このため、速やかな始動指令を行うことができる。
【００２５】
この排気処理装置では、始動指令装置(１０５)が操作者の操作に基づいて指令信号を発信する操作式のキースイッチ(５)である。
操作式の始動指令装置(１０５)は、キースイッチの他、ボタン式、レバー式、べダル式、タッチパネル式であってもよい。
【００２６】
この排気処理装置では、始動指令装置(１０５)が操作者の操作に基づかずに指令信号を発信する非操作式始動指令装置であり、非操作式始動指令装置がエンジン負荷の投入の予測に基づいて指令信号を発信する負荷投入予測式のものや、所定時間毎に指令信号を発信するタイマ式のものであってもよい。
負荷投入予測式のものとしては、エンジンと作業機の間のクラッチの接続を検出してエンジン負荷投入を予測するものがある。
【００２７】
この排気処理装置では、上流側排気触媒(１０２)がＤＯＣ(２)であり、下流側排気浄化材(１０１)がＤＰＦ(１)である。
未燃焼付着物は、上流側排気触媒(１０２)にＰＭが固着した未燃焼堆積物である。
この排気処理装置では、上流側排気触媒(１０２)として未燃焼付着物による機能低下を生じ易いＤＯＣを用いるため、上流側排気触媒(１０２)の機能回復効果が顕著に現れる。
【００２８】
ＤＰＦは、ディーゼル・パティキュレート・フィルタの略称であり、排気(１０)に含まれるＰＭを捕捉する。ＰＭは、粒子状物質の略称である。
ＤＰＦ(１)は、内部に軸長方向に沿う多数のセルが並設され、隣り合うセルの入口と出口が交互に目封じされたウォールフローハニカム型のものである。
【００２９】
図２に示すように、ＤＰＦ(１)に堆積するＰＭの堆積量の推定値(Ｆ)が所定のＤＰＦの再生開始基準値(ＦＳ)を越えると、制御装置(４)の制御により、ＤＰＦ再生処理が実施される。
排気処理装置は、ＤＰＦ(１)の出入口の差圧を検出する差圧センサ(３２)を備え、差圧センサ(３２)は制御装置(４)に電気的に接続され、ＤＰＦ(１)の出入口の差圧に基づいて、制御装置(４)がＤＰＦ(１)に堆積したＰＭの堆積量を推定する。
【００３０】
ＤＰＦ再生処理では、燃料噴射弁(２４)からポスト噴射がなされ、未燃焼のポスト噴射燃料が排気(１０)に混入され、この燃料がＤＯＣ(２)で触媒燃焼され、排気(１０)が昇温され、排気(１０)の熱でＤＰＦ(１)に堆積したＰＭが焼却される。
ポスト噴射とは、燃焼サイクル中、燃料噴射弁(２４)からメイン噴射後、膨張行程または排気行程で燃焼室(２３)に行われる燃料噴射である。
ポスト噴射は、ＤＯＣ(２)の排気入口(２ａ)に流入する排気(１０)の温度がＤＯＣ(２)の活性化温度を越えた後に開始され、排気(１０)の温度が活性化温度に達しない間は、制御装置(４)の制御により、吸気絞り弁(１９)の開度を絞り、排気(１０)を昇温させる。
ＤＰＦ再生処理では、ポスト噴射に代え、排気管に設けた燃料噴射弁から排気に燃料を噴射する排気管噴射を行ってもよい。
【００３１】
図２に示すように、ＤＰＦ(１)に堆積するＰＭの堆積量の推定値(Ｆ)がＤＰＦ(１)の再生終了基準値(ＦＦ)を下回ると、制御装置(４)の制御により、ＤＰＦ(１)の再生処理は終了する。
ＤＰＦ(１)の再生処理は、ＤＰＦ(１)の再生処理の開始後、ＤＰＦ(１)の入口排気温度が所定の再生可能温度を維持した時間が所定の再生終了基準値を越えた場合に終了させてもよい。ＤＰＦ(１)の入口排気温度は、ＤＯＣ(２)の出口側排気温度センサ(９)で検出することができる。
なお、排気処理装置は、ＤＰＦ(１)の出口側排気温度センサ(３３)を備え、ＤＰＦ(１)の出口側排気温度が所定の異常燃焼基準値を越えた場合には、制御装置(４)がＤＰＦの再生処理を緊急終了させる。
【００３２】
ＤＯＣは、ディーゼルエンジン酸化触媒の略称である。
ＤＯＣ(２)は、内部に軸長方向に沿う多数のセルが貫通状に並設されたフロースルーハニカム型のものである。ＤＯＣ(２)には、セル内に酸化触媒成分が担持されている。
ＤＯＣ(２)を詰らせる未燃焼堆積物は、メイン噴射燃料の未燃燃料とＰＭの混合物であり、エンジン負荷が小さく、排気温度が低い場合に、ＤＯＣ(２)に堆積しやすく、特にＤＯＣ(２)の入口(２ａ)を詰らせる。
【００３３】
図１に示すように、排気処理装置は、キースイッチ(５)を構成要素として含み、ヒータ(３)はＤＯＣ(２)の排気入口(２ａ)に配置され、図１，図２に示すように、エンジン停止後、キースイッチ(５)でエンジン始動操作がなされた場合には、制御装置(４)の制御により、エンジン始動操作から所定時間はエンジン始動処理(Ｓ１２)を行うことなく、エンジン停止状態を維持したまま、ヒータ(３)に通電(Ｓ１１)がなされ、その後、エンジン始動処理(Ｓ１２)が行われるように構成されている。
【００３４】
ヒータ(３)はＤＯＣ(２)の排気入口(２ａ)に配置されるため、ヒータ(３)の熱がＤＯＣ(２)を詰らせている未燃焼堆積物に伝わりやすいうえ、エンジン停止状態を維持したままヒータ(３)への通電が行われるため、未燃焼堆積物の熱が排気で持ち去られず、ＤＯＣ(２)を詰まらせている未燃焼堆積物がヒータ(３)の発熱で速やかに燃焼する。
これにより、ＤＯＣ(２)の詰まりが速やかに解消する。
【００３５】
ヒータ(３)は、フロースルーハニカム型のヒータである。ヒータ(３)は、制御装置(４)を介してバッテリ(２２)に電気的に接続されている。
ヒータ(３)は、絶縁体を介してＤＯＣ(２)の排気入口(２ａ)に取り付けられている。
ヒータ(３)は、電熱線であってもよい。
【００３６】
図１に示すように、排気処理装置は、ＤＯＣ(２)に詰った未燃焼堆積物の堆積量を推定する推定装置(６)を備えている。
図１，図２に示すように、この排気処理装置では、推定装置(６)で推定されたＤＯＣ(２)の堆積量推定値(Ｃ)がＤＯＣ(２)の所定の再生開始基準値(ＣＳ)を越えている場合に限り、前記ヒータ(３)の通電がなされるように構成されている。
【００３７】
ＤＯＣ(２)の堆積量が僅かである場合にもヒータ(３)への通電を行うと、ヒータ(３)への通電頻度が高まり、電力消費が過大になるおそれがあるが、図１，図２に示すように、この排気処理装置では、推定装置(６)で推定されたＤＯＣ(２)の堆積量推定値(Ｃ)が所定の基準値(ＣＳ)を越えている場合に限り、前記ヒータ(３)の通電がなされるため、電力消費を抑制することができる。
【００３８】
図１に示すように、排気処理装置は、コモンレール式燃料噴射装置(７)を構成要素として含み、ＤＯＣ(２)の入口側排気温度を検出する入口側排気温度センサ(８)と、ＤＯＣ(２)の出口側排気温度を検出する出口側排気温度センサ(９)を備えている。
前記推定装置(６)は、コモンレール式燃料噴射装置(７)からのポスト噴射が行われるＤＰＦ(１)の再生処理時に生じる、ＤＯＣ(２)の入口側排気温度と出口側排気温度の温度差に基づいて、ＤＯＣ(２)に詰った未燃焼堆積物の堆積量を推定するように構成されている。
推定装置(６)は、制御装置(４)の演算処理部で構成されている。
【００３９】
推定装置(６)は、ＤＯＣ(２)の詰りの程度に応じて敏感に変化するＤＯＣ(２)の出入口の温度差に基づいて、ＤＯＣ(２)に詰った未燃焼堆積物の堆積量を推定するため、その堆積量を正確に推定することができる。
【００４０】
制御装置(４)によるＤＰＦとＤＯＣの再生処理の流れを図２に示す。
ステップ(Ｓ１)では、ＤＰＦ(２)に溜まったＰＭの堆積量が推定され、次のステップ(Ｓ２)に進む。
ステップ(Ｓ２)では、ＤＰＦ(２)の堆積量推定値(Ｆ)がＤＰＦの再生開始基準値(ＦＳ)を越えたか否かが判定され、判定が否定されている間は、ステップ(Ｓ１)とステップ(Ｓ２)が繰り返され、判定が肯定されると、次のステップ(Ｓ３)に進む。
ステップ(Ｓ３)では、ＤＰＦ(２)の再生処理が実施される。この再生処理では、ＤＯＣ(２)に流入する排気(１０)の温度が活性化温度に達した後に、ポスト噴射が行われる。ステップ(Ｓ３)の後は、ステップ(Ｓ４)に進む。
ステップ(Ｓ４)では、ＤＰＦ(２)のＰＭ堆積量が推定され、次のステップ(Ｓ５)に進む。
【００４１】
ステップ(Ｓ５)では、ＤＯＣ(２)の未然堆積物の堆積量が推定され、次のステップ(Ｓ６)に進む。
ステップ(Ｓ６)では、ＤＯＣ(２)の堆積量推定値(Ｃ)がＤＯＣ(２)の再生開始基準値(ＣＳ)を越えているか否かが判定され、判定が肯定された場合には、ステップ(Ｓ７−１)に進む。判定が否定された場合には、ステップ(Ｓ７−２)に進む。
ステップ(Ｓ７−１)の場合、ステップ(Ｓ６)での肯定の判定が制御装置(４)の不揮発メモリに記憶され、次のステップ(Ｓ８)に進む。
ステップ(Ｓ７−２)の場合、ＤＰＦ(１)の堆積量推定値(Ｆ)がＤＰＦ(１)の再生終了基準値(ＦＦ)未満となったか否かが判定され、判定が肯定の場合には、ステップ(Ｓ１)に戻り、ＤＰＦの再生処理が終了し、判定が否定の場合には、ステップ(Ｓ３)に戻り、ＤＰＦの再生処理が継続される。
【００４２】
ステップ(Ｓ８)では、エンジン停止操作があったか否かが判定され、判定が否定されている間は、ステップ(Ｓ８)の判定が繰り返され、判定が肯定されると、次のステップ(Ｓ９)に進む。
ステップ(Ｓ９)では、エンジン停止処理がなされる。
エンジン停止後、キースイッチ(５)がＯＮの位置に投入されると、次のステップ(Ｓ１０)に進む。
ステップ(Ｓ１０)では、エンジン始動操作があつたか否かが判定され、判定が否定されている間は、ステップ(Ｓ１０)の判定が繰り返され、判定が肯定されると、ステップ(Ｓ７−１)での記憶に基づいて、次のステップ(Ｓ１１)に進む。
【００４３】
ステップ(Ｓ１１)では、所定時間ヒータ(３)への通電がなされ、次のステップ(Ｓ１２)に進む。ステップ(Ｓ１１)の通電時間は、制御装置(４)のタイマによって予め定められている。
ステップ(Ｓ１２)では、エンジン始動処理が実施され、ステップ(Ｓ１)に戻る。
【００４４】
上記実施形態では、上流側排気触媒(１０２)がＤＯＣ(２)であり、下流側排気浄化材(１０１)がＤＰＦ(１)であるものについて説明したが、この発明は上記実施形態に限定されるものではない。
この発明は、上流側排気触媒(１０２)が上流側ＤＯＣであり、下流側排気浄化材(１０１)が下流側ＤＯＣであるもの、上流側排気触媒(１０２)がＤＯＣであり、下流側排気浄化材(１０１)がＳＣＲ触媒であるもの、上流側排気触媒(１０２)がＳＣＲ触媒であり、下流側排気浄化材(１０１)がＤＯＣであるもの等にも適用することができる。
【００４５】
上流側ＤＯＣと下流側ＤＯＣに用いるＤＯＣには、前記実施形態で用いたＤＯＣ(２)と同じ構造のものを用いることができる。
ＳＣＲ触媒は、選択触媒還元(Selective Catalytic Reduction)型の触媒の略称で、内部に軸長方向に沿う多数のセルが貫通状に並設されたフロースルーハニカム型のものが用いられ、その排気上流側には尿素水インジェクタが配置され、尿素水を排気中に噴射することにより高温下でアンモニアガスを得、このアンモニアによりＮＯｘ(窒素酸化物)を還元し、Ｎ２(窒素ガス)とＨ２Ｏ(水蒸気)を得る。
上流側排気処理部(１０２)がＳＣＲ触媒であり、下流側排気処理部(１０１)がＤＯＣである場合、このＤＯＣはアンモニア浄化にも用いられる。
【符号の説明】
【００４６】
（１)…ＤＰＦ，(２)…ＤＯＣ，(２ａ)…排気入口，(３)…ヒータ，(４)…制御装置，(５)…キースイッチ，(６)…推定装置，(７)…コモンレール式燃料噴射装置，(８)…入口側排気温度センサ，(９)…出口側排気温度センサ，(１０)…排気，(Ｓ１１)…ヒータに通電，(Ｓ１２)…エンジン始動処理，(Ｃ)…ＤＯＣの堆積量推定値，(ＣＳ)…ＤＯＣの再生開始基準値，(１０１)…下流側排気浄化材，(１０２)…上流側排気触媒，(１０２ａ)…排気入口，(１０７)…燃料噴射装置。
【図１】
0006664312.tif 000002
【図２】
0006664312.tif 000003